(57)【要約】【課題】台形歪み補正以外にも方向性を有する機能を備えている構成において、その使い勝手を向上させることができるプロジェクタを提供する。【解決手段】端子２５から入力した音声信号を、左右のアンプ３１，３２で増幅し、拡声方向の異なる左右のスピーカー４，５を駆動し、画像に付属する音声を拡声させる。イメージプロセッサ２１ａに、端子２２〜２４から入力した画像の画像データのキーストーン補正を、プッシュスイッチ３５の押下による操作に応じて行わせる。マイクロプロセッサ２１ｂに、キーストーン補正の補正量から装置本体のスクリーンに対する設置角度を演算させ、演算結果に対応して左右のアンプ３１，３２のボリュームを制御させる。キーストーン補正操作を行うだけで、自動的に設置角度応じた音量バランスを左右のスピーカー４，５に確保することができる。【選択図】      図３
2008283716.tif 000002
【特許請求の範囲】
【請求項１】
スクリーン上に投影される投影画像の台形歪みを補正する補正手段を備えたプロジェクタにおいて、
前記補正手段とは異なる方向性を有する所定の動作を実現する動作手段と、
前記スクリーンに対する装置本体の設置角度を示す角度情報を取得する角度取得手段と、
前記補正手段による台形歪みの補正動作に伴い、前記角度取得手段により取得された角度情報に基づき、前記動作手段により実現される所定の動作の方向性を制御する制御手段と
を備えたことを特徴とするプロジェクタ。
【請求項２】
前記角度取得手段は、前記補正手段による台形歪みの補正量に基づき角度情報を取得することを特徴とする請求項１記載のプロジェクタ。
【請求項３】
前記動作手段は、投影する画像に付随して入力された音声を拡声する拡声手段であり、前記制御手段は、前記拡声手段による音声の拡声方向を制御することを特徴とする請求項１又は２記載のプロジェクタ。
【請求項４】
前記拡声手段は、異なる方向に向かい音声を拡声する複数の拡声手段からなり、前記制御手段は、その複数の拡声手段の各々により拡声される音声の音量を制御することを特徴とする請求項３記載のプロジェクタ。
【請求項５】
前記動作手段は、装置の冷却を目的とした排気を行う冷却手段であり、前記制御手段は、前記冷却手段の排気方向を制御することを特徴とする請求項１又は２記載のプロジェクタ。
【請求項６】
前記動作手段は通信手段であり、前記制御手段は、前記通信手段の通信方向を制御することを特徴とする請求項１又は２記載のプロジェクタ。
【請求項７】
スクリーン上に投影される画像の台形歪みを補正する補正手段と、当該補正手段とは異なる方向性を有する所定の動作を実現する動作手段とを備えたプロジェクタが有するコンピュータを、
前記補正手段による台形歪みの補正動作に伴い、前記動作手段により実現される所定の動作の方向性を、前記スクリーンに対する装置本体の設置角度を示す角度情報に基づき制御する制御手段として機能させるプログラム。
【発明の詳細な説明】
【技術分野】
【０００１】
本発明は、キーストーン補正機能を備えたプロジェクタに関する。
【背景技術】
【０００２】
従来、企画説明や商品説明等のプレゼンテーションや研究発表等の講演においては、例えばパソコンにより作成した説明画像をスクリーンに拡大して投影するためプロジェクタが用いられている。また、企画説明等のビジネスプレゼンテーションでは、プレゼンテーション効果をあげるために音声付きの画像（文書）が用いられる場合もある。そのため、ビジネス向けのプロジェクタでは音声信号の入力端子やスピーカー等が設けられ、説明画像を投影しながらそれに付属する音声を拡声できるものもある。
【０００３】
一方、プロジェクタには、スクリーンに正対していない使用時に、スクリーンの正面から見た投影画面に生ずる台形歪みをなくす台形歪み補正（キーストーン補正）機能が一般に設けられている。キーストーン補正は、入力画像を、投影画面に生ずる歪みの方向と逆方向に歪ませてから投影することにより行われる。また、補正方法としては、ユーザーに投影画面を見ながら歪みの方向や歪み量（補正量）を手動で調整させる方法と、プロジェクタに相離間する１組の距離センサを設け、双方のセンサの検出結果に基づきスクリーンに対するプロジェクタの傾き（設置角度）を算出し、その算出結果に基づき自動的に入力画像を歪ませる方法（例えば、特許文献１参照。）とがある。
【０００４】
【特許文献１】特開２０００−１２２６１７公報
【発明の開示】
【発明が解決しようとする課題】
【０００５】
しかしながら、前述した説明画像に付属する音声が拡声できるプロジェクタにおいては、以下のような問題があった。
【０００６】
すなわち上記プロジェクタでは、どこにいる視聴者でも音声が聞こえるようにするには、例えばスピーカーをプロジェクタの上面に設け、音声を上方に向けて拡声させたり、プロジェクタの外周面に複数のスピーカーを設け、音声をプロジェクタから複数方向へ向けて拡声させたりすることとなる。
【０００７】
しかしながら、前者の場合には、視聴者に届く音声が主として部屋の天井や壁等で反射したものとなり、視聴者にとっては音声が聞こえにくくなる。一方、後者の場合には上記問題は生じないが、例えばプレゼンテーションでの使用に際して、プロジェクタが視聴者の前方側で、かつスクリーンに正対しない左右の一方側に配置されることも多く、そのような使用状態ではプロジェクタに近い側の視聴者には音声が大きく、逆に遠い側の視聴者には音声が小さくなる。そのため、プロジェクタを、説明者等のユーザーが各スピーカーの音量を調整できるように構成しておき、ユーザーに、使用状態に応じて各スピーカーの音量を調整させる必要がある。したがって、その場合には、使用に先立つ音量の調整作業が煩雑となるという問題があった。
【０００８】
本発明は、かかる従来の課題に鑑みてなされたものであり、台形歪み補正以外にも方向性を有する機能を備えている構成において、その使い勝手を向上させることができるプロジェクタを提供することを目的とする。
【課題を解決するための手段】
【０００９】
前記課題を解決するために請求項１の発明にあっては、スクリーン上に投影される投影画像の台形歪みを補正する補正手段を備えたプロジェクタにおいて、前記補正手段とは異なる方向性を有する所定の動作を実現する動作手段と、前記スクリーンに対する装置本体の設置角度を示す角度情報を取得する角度取得手段と、前記補正手段による台形歪みの補正動作に伴い、前記角度取得手段により取得された角度情報に基づき、前記動作手段により実現される所定の動作の方向性を制御する制御手段とを備えたものとした。
【００１０】
かかる構成においては、投影画像の台形歪みが補正されることに伴い、それとは異なる方向性を有する所定の動作の方向性がスクリーンに対する装置本体の設置角度に基づき制御される。つまり台形歪みの補正と連動して、それ以外の方向性を有する所定の動作を、スクリーンに対する装置本体の設置角度に基づき自動的に調整することができる。
【００１１】
また、請求項２の発明にあっては、前記角度取得手段は、前記補正手段による台形歪みの補正量に基づき角度情報を取得するものとした。
【００１２】
かかる構成においては、距離センサ等のデバイスを用いない構成であっても、方向性を有する所定の動作の方向性をスクリーンに対する装置本体の設置角度に基づき制御することができる。
【００１３】
また、請求項３の発明にあっては、前記動作手段は、投影する画像に付随して入力された音声を拡声する拡声手段であり、前記制御手段は、前記拡声手段による音声の拡声方向を制御するものとした。
【００１４】
かかる構成においては、投影画像の台形歪みが補正されることに伴い、投影する画像に付随して入力された音声の拡声方向がスクリーンに対する装置本体の設置角度に基づき制御される。
【００１５】
また、請求項４の発明にあっては、前記拡声手段は、異なる方向に向かい音声を拡声する複数の拡声手段からなり、前記制御手段は、その複数の拡声手段の各々により拡声される音声の音量を制御するものとした。
【００１６】
かかる構成においては、複数の拡声手段の各々により拡声される音声の音量が制御されることによって、投影する画像に付随して入力された音声の拡声方向が制御される。
【００１７】
また、請求項５の発明にあっては、前記動作手段は、装置の冷却を目的とした排気を行う冷却手段であり、前記制御手段は、前記冷却手段の排気方向を制御するものとした。
【００１８】
かかる構成においては、投影画像の台形歪みが補正されることに伴い、冷却手段の排気方向がスクリーンに対する装置本体の設置角度に基づき制御される。
【００１９】
また、請求項６の発明にあっては、前記動作手段は通信手段であり、前記制御手段は、前記通信手段の通信方向を制御するものとした。
【００２０】
かかる構成においては、投影画像の台形歪みが補正されることに伴い、通信手段の指向性がスクリーンに対する装置本体の設置角度に基づき制御される。
【００２１】
また、請求項７の発明にあっては、スクリーン上に投影される画像の台形歪みを補正する補正手段と、当該補正手段とは異なる方向性を有する所定の動作を実現する動作手段とを備えたプロジェクタが有するコンピュータを、前記補正手段による台形歪みの補正動作に伴い、前記動作手段により実現される所定の動作の方向性を、前記スクリーンに対する装置本体の設置角度を示す角度情報に基づき制御する制御手段として機能させるプログラムとした。
【発明の効果】
【００２２】
以上説明したように請求項１の発明においては、台形歪みの補正と連動して、それ以外の方向性を有する所定の動作を、スクリーンに対する装置本体の設置角度に基づき自動的に調整することができるようにした。よって、台形歪み補正以外にも、方向性を有する機能を備えている構成において、その使い勝手を向上させることが可能となる。
【００２３】
また、請求項２の発明においては、距離センサ等のデバイスを用いない構成であっても、方向性を有する所定の動作の方向性をスクリーンに対する装置本体の設置角度に基づき制御できるようにした。よって、装置の低コスト化が可能となる。
【００２４】
また、請求項３の発明においては、投影画像の台形歪みが補正されることに伴い、投影する画像に付随して入力された音声の拡声方向がスクリーンに対する装置本体の設置角度に基づき制御されるようにした。よって、設置角度の違いに適した、より良好な音声の拡声動作を自動的に確保することが可能となる。
【００２５】
また、請求項４の発明においては、複数の拡声手段の各々により拡声される音声の音量が制御されることによって、投影する画像に付随して入力された音声の拡声方向が制御されるようにした。これによっても、設置角度の違いに適した、より良好な音声の拡声動作を自動的に確保することが可能となる。
【００２６】
また、請求項５の発明においては、投影画像の台形歪みが補正されることに伴い、冷却手段の排気方向がスクリーンに対する装置本体の設置角度に基づき制御されるようにした。よって、設置角度の違いに適した、より良好な冷却動作を自動的に確保することが可能となる。
【００２７】
また、請求項６の発明においては、投影画像の台形歪みが補正されることに伴い、通信手段の通信方向がスクリーンに対する装置本体の設置角度に基づき制御されるようにした。よって、設置角度の違いに適した、より良好な通信動作を自動的に確保することが可能となる。
【発明を実施するための最良の形態】
【００２８】
以下、本発明の一実施の形態を図にしたがって説明する。図１は、本発明に係るプロジェクタ１を背面側から見た後方斜視図である。プロジェクタ１は、本体２の前面側に投影光を照射する投影部３が設けられ、本体２の背面側の左右の角部に左右のスピーカー４，５が設けられた構造であって、本体２の背面には電源コード６が延出するとともに、映像信号等を入力するための、各種の映像ソースに対応する入力ケーブル７が装着されている。
【００２９】
図２は、プロジェクタ１の概略構成を示す全体ブロック図である。プロジェクタ１は入力画像／音声処理回路１１と、出力画像処理回路１２、画像変換デバイス１３、光学デバイス１４とから構成されている。
【００３０】
入力画像／音声処理回路１１は、前記入力ケーブル７を介して入力した映像信号から画像データ（デジタルデータ）を生成して出力する処理や、入力した音声信号を増幅して前記左右のスピーカー４，５を駆動し、画像に付属する音声を拡声する処理等を行うための回路である。なお、詳細については後述する。
【００３１】
出力画像処理回路１２は、入力画像／音声処理回路１１から逐次入力される画像データ（デジタル信号）を、画像変換デバイス１３を駆動するための駆動信号に変換する。画像変換デバイス１３は上記駆動信号により動作して画像データを光に変換するためのＤＭＤ（Digital Micromirror Device）等である。光学デバイス１４は、ランプや前記投影部３に配置された投影用のレンズ系で構成され、画像変換デバイス１３によって光に変換された画像をスクリーンに投影する。
【００３２】
図３は、前述した入力画像／音声処理回路１１の詳細を示すブロック図である。入力画像／音声処理回路１１は、画像や音声に関する処理を行うための制御ブロック２１と、各種の映像ソースが入力する複数の映像入力端子、すなわち「ＲＧＢ／ＹＣｂＣｒ  Ｉｎ」端子２２、「Ｓ  Ｖｉｄｅｏ  Ｉｎ」端子２３、「Ｃｏｍｐｏｓｉｔｅ  Ｖｉｄｅｏ  Ｉｎ」端子２４と、音声信号が入力する「Ａｕｄｉｏ  Ｉｎ」端子２５と、後述する各部とによって構成される。
【００３３】
制御ブロック２１は、各種画像処理を行うイメージプロセッサ２１ａ、所定のプログラム格納されたＲＯＭ、ＲＡＭ等を内蔵し、前記プログラムに従い後述する各部の動作を制御するマイクロプロセッサ２１ｂ、フレームバッファ（Frame Buffer）２１ｃ、ＯＳＤコントローラ２１ｄ等から構成されている。また、制御ブロック２１には、前記イメージプロセッサ２１ａやマイクロプロセッサ２１ｂのワーキングメモリとして機能するフラッシュメモリ２６等が接続されている。なお、本実施の形態においては、前記マイクロプロセッサ２１ｂが本発明の角度取得手段、制御手段として機能するとともに、イメージプロセッサ２１ａとマイクロプロセッサ２１ｂとによって本発明の補正手段が実現されている。
【００３４】
パソコンからの画像信号（ＲＧＢ）は「ＲＧＢ／ＹＣｂＣｒ  Ｉｎ」端子２２から入力し、Ａ／Ｄコンバータ（ＡＤＣ）２７でアナログデジタル変換された後、制御ブロック２１に入力される。入力された画像データは、イメージプロセッサ２１ａでＲＧＢ信号の大きさやフレーム周波数の補正、画像の伸縮等の補正、後述するキーストーン補正（台形補正）等が行われ、一旦内部のフレームバッファ２１ｃに１フレーム分記憶され、その後、図２の出力画像処理回路１２（より具体的には、回路内の画像処理部）に転送される。
【００３５】
ビデオデッキ等からのビデオ信号は「Ｓ  Ｖｉｄｅｏ  Ｉｎ」端子２３から、またＴＶ映像などのコンポジット系画像信号は「Ｃｏｍｐｏｓｉｔｅ  ＶｉｄｅｏＩｎ」端子２４からそれぞれ入力し、ビデオデコーダー２８でデジタル信号化された後、制御ブロック２１に入力される。入力された画像データは、ＲＧＢ信号と同様に、イメージプロセッサ２１ａで画像の伸縮等の補正がされ、一旦内部のフレームバッファ２１ｃに１フレーム分記憶され、出力画像処理回路１２に転送される。
【００３６】
投影する画像に付属する音声信号は「Ａｕｄｉｏ  Ｉｎ」端子２５から入力され、左右のアンプ３１，３２で増幅された後、前記左右のスピーカー４，５から音声出力される。また、左右のアンプ３１，３２と左右のスピーカー４，５とが本発明の拡声手段であり、各アンプ３１，３２における音声信号の増幅率、つまりスピーカー４，５から拡声される音声の音量はマイクロプロセッサ２１ｂにより個別に制御される構成となっている。
【００３７】
また、制御ブロック２１には、図示しないリモートコントロールユニットから送られる赤外線の操作信号や、ＰＤＡ（Personal Digital Assistant：携帯情報端末）やノートパソコンなどの機器から赤外線によって送られてくる画像信号を受信するため赤外線受光素子を含む２つの赤外線受信器（IR Receiver）３３、２つの表示用のＬＥＤ３４、３つの操作用のプッシュスイッチ３５と、ＰＣやマウス等の周辺機器等３７との間のＵＳＢ規格によるデータ伝送を行うＵＳＢコントローラ３６が接続されている。なお、本実施の形態のプロジェクタ１は、手動によるキーストーン補正機能を備えたものであり、前記プッシュスイッチ３５は、ユーザーによるキーストーン補正操作等に用いられるスイッチである。
【００３８】
次に、以上の構成からなるプロジェクタ１の動作を説明する。ここでは、図４（ａ）に示したように、プロジェクタ１が任意の部屋において投影スクリーン１００の向かって右側に設置され、複数人の視聴者２００が投影スクリーン１００に向かいコ字状に並んで着席している場合を想定する。また、プロジェクタ１には、ＰＣ等の任意の映像ソースから出力され、かつ音声が付随する画像が入力されるものとする。
【００３９】
図５は、そのときの動作を示すフローチャートである。すなわちプロジェクタ１は、電源投入により動作を開始し、入力した映像信号に基づく画像（動画又は静止画）の投影を開始する（ステップＳ１）。このとき上記使用状態においては図４（ｂ）に示したように、投影スクリーン１００に対してプロジェクタ１の投影光Ｌは右側に傾いており、投影スクリーン１００までの投影距離が右側に比べて左側が長くなっている。そのため、使用開始当初においては、図６（ａ）に示したような入力画像Ｇ１（同図では「正」の文字）は、同図（ｂ）に示したように、投影スクリーン１００上において左右方向の台形歪みが発生し、左側が縦方向に拡大した台形の投影画像Ｓ１となる。
【００４０】
したがって、ユーザーは投影画像Ｓ１を目でみて画像のキーストーン補正を行うこととなり、ユーザーによって、上記画像を修正投影するための前記プッシュスイッチ３５の押下によるキーストーン補正操作が行われると（ステップＳ２でＹＥＳ）、その操作を前記マイクロプロセッサ２１ｂが認識し、前記イメージプロセッサ２１ａに、ユーザーの操作に応じた分のキーストーン補正を行わせる（ステップＳ３）。つまり投影画像Ｓ１の左側の上下方向を狭くする補正を行わせる。そして、かかる処理をユーザによるキーストーン補正操作の終了指示があるまで繰り返す（ステップＳ４でＮＯ）。
【００４１】
これにより、前記フレームバッファ２１ｃにフレームごとに蓄えられる画像データが、図６（ｃ）に示したように、同図（ｂ）に示した投影画像Ｓ１と逆方向に歪んだ（右側が縦方向に拡大した）画像Ｇ２のデータとなり、それが前記出力画像処理回路１２に送られ、結果的にスクリーン１００上には、図６（ｄ）に示したように入力画像Ｇ１と同様の形状に補正された投影画像Ｓ２が投影される。
【００４２】
やがて、ユーザにより、前記プッシュスイッチ３５の押下によるキーストーン補正操作の終了指示があったら（ステップＳ４でＹＥＳ）、マイクロプロセッサ２１ｂが、その時点でイメージプロセッサ２１ａにより行われている入力画像Ｇ１に対する補正量（例えば図６（ｃ）に示した画像Ｇ２の左辺と右辺の長さの比）に基づき、に示した、投影スクリーン１００に対する投影光Ｌの水平方向の傾き角度θ（図４（ｂ）参照）、つまりプロジェクタ１の設置角度を演算する（ステップＳ５）。
【００４３】
引き続き、マイクロプロセッサ２１ｂが、演算した設置角度に基づき左右の音のバランス（比率）を演算し（ステップＳ６）、その演算結果に応じて前記アンプ３１，３２のボリュームを変更する（ステップＳ７）。前述した例では、上記左右の音のバランスが３：１等となり、右側のアンプ３１よりも左側のアンプ３２のボリュームが大きく設定されることとなる。その結果、視聴者２００がより多く居る左側のスピーカー５により拡声される音声が、より大きく（右側の３倍等）なる。以後、ユーザーによりキーストーン補正操作がある毎に、前述したステップＳ３〜ステップＳ７の動作を繰り返す。
【００４４】
以上のように、本実施の形態のプロジェクタ１においては、ユーザーが、使用開始当初に投影画面を見ながら手動によりキーストーン補正を行えば、左右のスピーカー４，５から拡声される音声の音量バランスが、そのときのプロジェクタ１の設置角度に応じて自動的に設定される。つまりプロジェクタ１に近い側の視聴者２００と、逆に遠い側の視聴者２００との双方に、より適正な大きさで音声を聞かせ得る状態となる。よって、ユーザーは、キーストーン補正操作を行うだけで、上記の良好な音声の拡声動作を自動的に確保することができ、プレゼンテーションの準備作業を簡単に行うことができる。
【００４５】
また、投影画面に付随する音声を左右のスピーカー４，５から各視聴者２００に直接伝えることができ、音声の品質がよいことから、各視聴者２００においては音声が聞き取りやすくなる。その結果、より広い周波数特性の音声にも対処することができる。
【００４６】
しかも、プロジェクタ１の設置角度を、キーストーン補正による入力画像Ｇ１に対する補正量に基づき取得するため、距離センサ等のデバイスが不要であるため、キーストーン補正を手動によって行うプロジェクタにおいても、低コストで前述した効果を得ることができる。
【００４７】
なお、本実施の形態では、ユーザーによるキーストーン補正操作の終了を待って、最終的な入力画像Ｇ１に対する補正量に基づきプロジェクタ１の設置角度を演算し、左右のスピーカー４，５の音量を制御するようにしたが、例えば設置角度の演算、及び音量を制御をユーザーがキーストーン補正操作を行う毎に逐次行わせる構成としてもよい。
【００４８】
また、本実施の形態では、キーストーン補正を手動により行うプロジェクタ１に本発明を採用した場合を示したが、これに限らず、本発明は、従来技術で既説したもののように、１組の距離センサを用いてプロジェクタの設置角度を取得し、それに基づきキーストーン補正を自動的に行う構成を有するプロジェクタに採用することもできる。その場合には、キーストーン補正を行うために取得した設置角度に関する情報をそのまま用いて、前述したステップＳ６，Ｓ７の処理を行わせればよい。その場合であっても、本実施の形態と同様の効果が得られる。
【００４９】
また、本実施の形態では、左右のスピーカー４，５の音量バランスを電気的に制御することにより、結果として、投影画面に付随する音声の拡声方向を制御する構成としたが、以下のようにしてもよい。例えば音声を拡声するための回転可能なスピーカーを１つだけ設けるとともに、ユーザーがキーストーン補正の補正量を電気的に調整するための回転式ボリュームを設け、その操作力（回転力）を所定の動力伝達機構を介して前記スピーカー側に伝え、その向きをキーストーン補正の補正量に応じて変化させたり、あるいはスピーカーをモーターにより駆動する構成とし、スピーカーの向きを、前記回転式ボリュームにより電気的に伝達された補正量に応じたモーターの動作により変化させるようにしてもよい。
【００５０】
また、本実施の形態では、キーストーン補正以外の方向性を有する動作として音声の拡声動作を行うプロジェクタ１について説明したが、本発明は、音声の拡声機能以外の他の方向性を有する動作を行う他のプロジェクタに採用することもできる。例えば内部温度を下げる（冷却）目的で本体の左右に冷却ファンを設けられ、それらにより冷却動作を行うプロジェクタに本発明を採用し、その使用時における設置角度に応じて各々の冷却ファンの回転スピードやオンオフ状態を変化させることにより、内部の空気の排気方向を制御させるようにしてもよい。
【００５１】
その場合、冷却ファンの回転に伴い視聴者に向けて発せられるノイズを自動的に軽減させることができる。また、装置本体の排気口から吹き出され視聴者に送られる温風（排気）の量を減少させることにより、視聴者が感じる不快感を解消させることもできる。なお、本体に単一の冷却ファンが設けられた構成では、プロジェクタの使用時における設置角度に応じて冷却ファンの向きや排気系路を変化させることにより、内部の空気の排気方向を制御させるようにしてもよい。
【００５２】
さらには、例えば前述したプロジェクタ１において、前記２つの赤外線受信器３３を構成する各々の赤外線受光素子が異なる方向（例えば本実施の形態の左右のスピーカー４，５における音声の拡声方向と同様の方向）の指向性を有している場合に、２つの赤外線受信器３３による赤外線の受信動作に本発明を採用し、その使用時における設置角度に応じて、２つの赤外線受信器３３の各々のオンオフ状態を制御するようにしてもよい。また、赤外線受信器３３が１つだけ設けられている構成において、赤外線の受光部を回転可能に構成しておき、先に説明したスピーカーの例と同様にして受光部の向きをプロジェクタの設置角度に応じて変化させるようにしてもよい。つまりプロジェクタにおける赤外線の受信方向（通信方向）をプロジェクタの設置角度に応じて変化させるようにしてもよい。
【００５３】
それらの場合には、プロジェクタ１を、説明者が用意した画像のみならず、投影画像（音声の有無は問わない）を観る複数の視聴者が持参したＰＤＡやノートパソコンなどの機器から赤外線により送られた画像データを受信し、受信した画像を投影することにより進行される参加型のミーティング等に使用する場合には、送られた画像データの良好な受信動作を自動的に確保することができる。
【００５４】
また、それに限らず、前述した２つの赤外線受信器３３に代えて、又は赤外線受信器３３と共に、外部機器に赤外線によって所定のデータを送信するための２つの赤外線送信器を有する構成において、２つの赤外線送信器による赤外線の送信動作に本発明を採用し、その使用時における設置角度に応じて、２つの赤外線送信器の各々のオンオフ状態を制御するようにしてもよい。また、前記赤外線送信湖が１つだけ設けられている構成において、赤外線の発光部を回転可能に構成しておき、先に説明したスピーカーの例と同様にして発光部の向きをプロジェクタの設置角度に応じて変化させるようにしてもよい。つまりプロジェクタにおける赤外線の送受信の方向である通信方向（指向性）を変化させるようにしてもよい。つまりプロジェクタにおける赤外線の送信方向（通信方向）をプロジェクタの設置角度に応じて変化させるようにしてもよい。
【００５５】
それらの場合には、プロジェクタ１から、複数の視聴者が持参したＰＤＡ等に対して所定のデータを送信させる場合にあっては、データの良好な送信動作を自動的に確保することができる。
【図面の簡単な説明】
【００５６】
【図１】本発明の一実施の形態を示すプロジェクタの後方斜視図である。
【図２】プロジェクタ１の概略構成を示す全体ブロック図である。
【図３】入力画像／音声処理回路のブロック図である。
【図４】（ａ）は、投影スクリーンとプロジェクタとの位置関係を示す使用状態図、（ｂ）は、同状態での設置角度を示す図である。
【図５】プロジェクタの動作を示すフローチャートである。
【図６】キーストーン補正の方法を示す図である。
【符号の説明】
【００５７】
１  プロジェクタ
４，５  スピーカー
７  入力ケーブル
１１  入力画像／音声処理回路
１２  出力画像処理回路
１３  画像変換デバイス
１４  光学デバイス
２１  制御ブロック
２１ａ  イメージプロセッサ
２１ｂ  マイクロプロセッサ
２１ｃ  フレームバッファ
２１ｄ  ＯＳＤコントローラ
３１，３２  アンプ
３５  プッシュスイッチ
【図１】
2008283716.tif 000003
【図２】
2008283716.tif 000004
【図３】
2008283716.tif 000005
【図４】
2008283716.tif 000006
【図５】
2008283716.tif 000007
【図６】
2008283716.tif 000008
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
少なくとも異なる２方向に方向性を有する所定の動作を実現する動作手段と、
スクリーンに対する装置本体の設置角度を示す角度情報を取得する角度取得手段と、
前記角度取得手段により取得された角度情報に基づき、前記動作手段により実現される所定の動作の方向性を制御する制御手段と
を備えたことを特徴とするプロジェクタ。
【請求項２】
前記スクリーン上で投影される投影画像の台形歪みを補正する補正手段を備え、
前記角度取得手段は、当該補正手段による台形歪みの補正量に基づき角度情報を取得することを特徴とする請求項１記載のプロジェクタ。
【請求項３】
前記動作手段は、投影する画像に付随して入力された音声を拡声する拡声手段であり、前記制御手段は、前記拡声手段による音声の拡声方向を制御することを特徴とする請求項１又は２記載のプロジェクタ。
【請求項４】
前記拡声手段は、異なる方向に向かい音声を拡声する複数の拡声手段からなり、前記制御手段は、その複数の拡声手段の各々により拡声される音声の音量を制御することを特徴とする請求項３記載のプロジェクタ。
【請求項５】
前記動作手段は、装置の冷却を目的とした排気を行う冷却手段であり、前記制御手段は、前記冷却手段の排気方向を制御することを特徴とする請求項１又は２記載のプロジェクタ。
【請求項６】
前記動作手段は通信手段であり、前記制御手段は、前記通信手段の通信方向を制御することを特徴とする請求項１又は２記載のプロジェクタ。
【請求項７】
少なくとも異なる２方向に方向性を有する所定の動作を実現する動作手段とを備えたプロジェクタが有するコンピュータを、
前記動作手段により実現される所定の動作の方向性を、スクリーンに対する装置本体の設置角度を示す角度情報に基づき制御する制御手段として機能させるプログラム。
【手続補正２】
【補正対象書類名】明細書
【補正対象項目名】０００８
【補正方法】変更
【補正の内容】
【０００８】
本発明はかかる従来の課題に鑑みてなされたものであり、少なくとも異なる２方向に方向性を有する機能を備えている構成において、その使い勝手を向上させることができるプロジェクタを提供することを目的とする。
【手続補正３】
【補正対象書類名】明細書
【補正対象項目名】０００９
【補正方法】変更
【補正の内容】
【０００９】
前記課題を解決するために請求項１の発明にあっては、少なくとも異なる２方向に方向性を有する所定の動作を実現する動作手段と、スクリーンに対する装置本体の設置角度を示す角度情報を取得する角度取得手段と、前記角度取得手段により取得された角度情報に基づき、前記動作手段により実現される所定の動作の方向性を制御する制御手段とを備えたものとした。
【手続補正４】
【補正対象書類名】明細書
【補正対象項目名】００１０
【補正方法】変更
【補正の内容】
【００１０】
また、請求項２の発明にあっては、前記スクリーン上で投影される投影画像の台形歪みを補正する補正手段を備え、前記角度取得手段は、当該補正手段による台形歪みの補正量に基づき角度情報を取得するものとした。
【手続補正５】
【補正対象書類名】明細書
【補正対象項目名】００１１
【補正方法】変更
【補正の内容】
【００１１】
また、請求項３の発明にあっては、前記動作手段は、投影する画像に付随して入力された音声を拡声する拡声手段であり、前記制御手段は、前記拡声手段による音声の拡声方向を制御するものとした。
【手続補正６】
【補正対象書類名】明細書
【補正対象項目名】００１２
【補正方法】変更
【補正の内容】
【００１２】
また、請求項４の発明にあっては、前記拡声手段は、異なる方向に向かい音声を拡声する複数の拡声手段からなり、前記制御手段は、その複数の拡声手段の各々により拡声される音声の音量を制御するものとした。
【手続補正７】
【補正対象書類名】明細書
【補正対象項目名】００１３
【補正方法】変更
【補正の内容】
【００１３】
また、請求項５の発明にあっては、前記動作手段は、装置の冷却を目的とした排気を行う冷却手段であり、前記制御手段は、前記冷却手段の排気方向を制御するものとした。
【手続補正８】
【補正対象書類名】明細書
【補正対象項目名】００１４
【補正方法】変更
【補正の内容】
【００１４】
また、請求項６の発明にあっては、前記動作手段は通信手段であり、前記制御手段は、前記通信手段の通信方向を制御するものとした。
【手続補正９】
【補正対象書類名】明細書
【補正対象項目名】００１５
【補正方法】変更
【補正の内容】
【００１５】
また、請求項７の発明にあっては、少なくとも異なる２方向に方向性を有する所定の動作を実現する動作手段とを備えたプロジェクタが有するコンピュータを、前記動作手段により実現される所定の動作の方向性を、スクリーンに対する装置本体の設置角度を示す角度情報に基づき制御する制御手段として機能させるプログラムとした。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
以上説明したように、本発明は、少なくとも異なる２方向に方向性を有する所定の動作の方向性を、スクリーンに対する装置本体の設置角度に基づいて制御することでその使い勝手を向上させることが可能となる。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】